(57)【要約】【課題】外部記憶媒体に対し例えば利用率の高いアクセス情報を効率よく登録することが可能な携帯端末装置および携帯端末装置におけるアクセス情報登録方法を提供する。【解決手段】外部記憶媒体としてＵＳＩＭカード６を用いる携帯電話機において、内部メモリ５に登録されたアクセス情報（ＵＲＬ情報、電話番号、電子メールアドレス情報など）を用いて外部装置に対しアクセスを行なう際、当該アクセス情報ごとにそのアクセス数をカウンタ１２でカウントし、このカウント内容に基づき、上位のアクセス数の多い順番にアクセス情報をソートし、このソートしたアクセス情報をソートされた順番の上位からあらかじめ定められた数、ＵＳＩＭカード６に登録する。【選択図】　　図１
2004135064.tif 000002
【特許請求の範囲】
【請求項１】
複数のアクセス情報が登録される内部記憶媒体と、
複数のアクセス情報が登録される外部記憶媒体が着脱自在に装着され、この装着された外部記憶媒体との間で情報の授受を行なうためのインタフェイス手段と、
前記内部記憶媒体に登録されたアクセス情報あるいは前記インタフェイス手段に装着された前記外部記憶媒体に登録されたアクセス情報を用いて外部装置に対し無線通信によりアクセスすることにより情報の送信あるいは受信を行なう情報処理手段と、
を備えた携帯端末装置において、
前記内部記憶媒体に登録されたアクセス情報を用いて外部装置に対しアクセスを行なう際、当該アクセス情報ごとにそのアクセス数をカウントするカウント手段と、
このカウント手段のカウント内容に基づき、あらかじめ定められた条件で前記内部記憶媒体に登録されたアクセス情報をソートするソート手段と、
このソート手段によりソートされたアクセス情報をあらかじめ定められた数、前記外部記憶媒体に対し登録するアクセス情報登録手段と、
を具備したことを特徴とする携帯端末装置。
【請求項２】
前記カウント手段は、累計アクセス数、最新の１箇月間のアクセス数、最新の１週間のアクセス数、最新の任意の日数のアクセス数の中から選択されたアクセス数をカウントすることを特徴とする請求項１記載の携帯端末装置。
【請求項３】
前記ソート手段は、前記カウント手段のカウント内容に基づき、上位のアクセス数の多い順番にアクセス情報をソートすることを特徴とする請求項１記載の携帯端末装置。
【請求項４】
前記アクセス情報登録手段は、前記ソート手段によりソートされたアクセス情報をソートされた順番の上位からあらかじめ定められた数登録することを特徴とする請求項３記載の携帯端末装置。
【請求項５】
前記アクセス情報登録手段は、毎日あるいは１箇月単位あるいは１週間単位あるいは任意の日数単位など、あらかじめ定められたタイミングでアクセス情報の登録動作を行なうことを特徴とする請求項１記載の携帯端末装置。
【請求項６】
前記アクセス情報は、当該携帯端末装置からインターネットサービスを利用する際のＵＲＬ情報、当該携帯端末装置から電話をかける際の電話番号、当該携帯端末装置から電子メールを送信する際の電子メールアドレス情報などであることを特徴とする請求項１記載の携帯端末装置。
【請求項７】
複数のアクセス情報が登録される内部記憶媒体と、
複数のアクセス情報が登録される外部記憶媒体が着脱自在に装着され、この装着された外部記憶媒体との間で情報の授受を行なうためのインタフェイス手段と、
前記内部記憶媒体に登録されたアクセス情報あるいは前記インタフェイス手段に装着された前記外部記憶媒体に登録されたアクセス情報を用いて外部装置に対し無線通信によりアクセスすることにより情報の送信あるいは受信を行なう情報処理手段と、
を備えた携帯端末装置において、
前記内部記憶媒体に登録されたアクセス情報を用いて外部装置に対しアクセスを行なう際、当該アクセス情報ごとにそのアクセス数をカウントするカウントステップと、
このカウントステップのカウント内容に基づき、あらかじめ定められた条件で前記内部記憶媒体に登録されたアクセス情報をソートするソートステップと、
このソートステップによりソートされたアクセス情報をあらかじめ定められた数、前記外部記憶媒体に対し登録するアクセス情報登録ステップと、
を具備したことを特徴とする携帯端末装置におけるアクセス情報登録方法。
【発明の詳細な説明】
【０００１】
【発明の属する技術分野】
本発明は、たとえば、ＵＳＩＭカードと称されるメモリカードなどの外部記憶媒体が着脱可能な携帯電話機や携帯情報機器（ＰＤＡ）などの携帯端末装置および携帯端末装置におけるアクセス情報登録方法に関する。
【０００２】
【従来の技術】
近年、携帯電話機や携帯情報機器（ＰＤＡ）などの携帯端末装置が急速に普及している。さらに、この種の携帯端末装置では、種々の情報を記憶させることができる、いわゆるＵＳＩＭ（ユニバーサル・シム）カードと称されるメモリカードなどの外部記憶媒体が着脱可能なものも開発されている。
【０００３】
このような外部記憶媒体が着脱可能な携帯端末装置にあっては、たとえば、当該携帯端末装置からインターネットサービスを利用する際のＵＲＬ情報、当該携帯端末装置から電話をかける際の電話番号、当該携帯端末装置から電子メールを送信する際の電子メールアドレス情報などのアクセス情報を当該携帯端末装置内の内部記憶媒体（ＲＡＭなど）、もしくは、当該携帯端末装置に装着された外部記憶媒体に登録（記憶）することにより、利用されている。
【０００４】
この場合、外部記憶媒体としてのＵＳＩＭカードは、メモリサイズに制約があるため、通常は、上記アクセス情報は携帯端末装置内の内部記憶媒体に多数登録して使用するのが一般的な使用方法である。
また、上記アクセス情報を複数の携帯端末装置で使用する場合、もしくは、友人などの携帯端末装置を借りて一時的に使用する場合は、ＵＳＩＭカードを入れ換えることによって利用することが可能である。
【０００５】
【発明が解決しようとする課題】
しかし、この場合、ＵＳＩＭカードに通常よく使用する（必要な）アクセス情報を登録しておく必要があり、そのために内部記憶媒体から必要なアクセス情報をコピーする必要があり、非常に利便性が悪かった。また、必要なアクセス情報は直ぐに変化するため、その都度、登録する必要があり、そのことについても利便性が悪かった。
【０００６】
そこで、本発明は、外部記憶媒体に対し例えば利用率の高いアクセス情報を効率よく登録することが可能な携帯端末装置および携帯端末装置におけるアクセス情報登録方法を提供することを目的とする。
【０００７】
【課題を解決するための手段】
本発明の携帯端末装置は、複数のアクセス情報が登録される内部記憶媒体と、複数のアクセス情報が登録される外部記憶媒体が着脱自在に装着され、この装着された外部記憶媒体との間で情報の授受を行なうためのインタフェイス手段と、前記内部記憶媒体に登録されたアクセス情報あるいは前記インタフェイス手段に装着された前記外部記憶媒体に登録されたアクセス情報を用いて外部装置に対し無線通信によりアクセスすることにより情報の送信あるいは受信を行なう情報処理手段とを備えた携帯端末装置において、前記内部記憶媒体に登録されたアクセス情報を用いて外部装置に対しアクセスを行なう際、当該アクセス情報ごとにそのアクセス数をカウントするカウント手段と、このカウント手段のカウント内容に基づき、あらかじめ定められた条件で前記内部記憶媒体に登録されたアクセス情報をソートするソート手段と、このソート手段によりソートされたアクセス情報をあらかじめ定められた数、前記外部記憶媒体に対し登録するアクセス情報登録手段とを具備している。
【０００８】
また、本発明の携帯端末装置におけるアクセス情報登録方法は、複数のアクセス情報が登録される内部記憶媒体と、複数のアクセス情報が登録される外部記憶媒体が着脱自在に装着され、この装着された外部記憶媒体との間で情報の授受を行なうためのインタフェイス手段と、前記内部記憶媒体に登録されたアクセス情報あるいは前記インタフェイス手段に装着された前記外部記憶媒体に登録されたアクセス情報を用いて外部装置に対し無線通信によりアクセスすることにより情報の送信あるいは受信を行なう情報処理手段とを備えた携帯端末装置において、前記内部記憶媒体に登録されたアクセス情報を用いて外部装置に対しアクセスを行なう際、当該アクセス情報ごとにそのアクセス数をカウントするカウントステップと、このカウントステップのカウント内容に基づき、あらかじめ定められた条件で前記内部記憶媒体に登録されたアクセス情報をソートするソートステップと、このソートステップによりソートされたアクセス情報をあらかじめ定められた数、前記外部記憶媒体に対し登録するアクセス情報登録ステップとを具備している。
【０００９】
【発明の実施の形態】
以下、本発明の実施の形態について図面を参照して説明する。
【００１０】
図１は、本発明の実施の形態に係る携帯端末装置の一例として携帯電話機の構成を概略的に示すものである。この携帯電話機は、外部装置としての携帯電話基地局（図示しない）との間で無線による通信を行なうためのアンテナ１、アンテナ１を介して携帯電話基地局（図示しない）との間で８００ＭＨｚ帯あるいは１．５ＧＨｚ帯の周波数を有する電波を用いて無線による通信を行なうことにより、インターネットサービス利用処理、通話処理、電子メールの送受信処理などを行なう無線通信部２、各種情報を入力するキー入力部３、各種情報を表示する液晶表示部４、インターネットサービスを利用する際のＵＲＬ情報、電話をかける際の電話番号、電子メールを送信する際の電子メールアドレス情報などのアクセス情報などが登録（記憶）される内部記憶媒体としての内部メモリ（たとえば、ＲＡＭ）５、同じく複数のアクセス情報が登録される外部記憶媒体としてのＵＳＩＭカード６が着脱自在に装着され、この装着されたＵＳＩＭカード６との間で情報の授受を行なうためのインタフェイス手段としてのメモリカードインタフェイス（Ｉ／Ｆ）７、通話時の音声を入力する音声入力部（マイクロフォン）８、通話時の音声などを出力する音声出力部（スピーカ）９、全体的な制御を司るＣＰＵなどからなる主制御部１０、これらに対し動作電源を供給する電源部（バッテリを含む）１１などから構成されている。
【００１１】
主制御部１０内には、内部メモリ５に登録されたアクセス情報を用いてアクセスを行なう際、当該アクセス情報ごとにそのアクセス数をカウントするカウント手段としてのカウンタ１２が設けられている。このカウンタ１２は、ソフトウエア構成あるいはハードウエア構成のいずれでもよい。
【００１２】
ここに、無線通信部２および主制御部１０は、内部メモリ５に登録されたアクセス情報あるいはメモリカードインタフェイス７に装着されたＵＳＩＭカード６に登録されたアクセス情報を用いて、携帯電話基地局に接続された通信網に対し無線通信によりアクセスすることにより情報の送信あるいは受信を行なう情報処理手段を構成している。
【００１３】
図２は、内部メモリ５に登録されたＵＲＬ情報およびアクセス数のカウント情報の格納例を示している。ＵＲＬ情報は、ＵＲＬ名称およびＵＲＬアドレス情報からなり、かつ、このＵＲＬ情報に対しアクセス累計数および最新の１箇月間の日単位によるアクセス数が格納されている。最新の１箇月間の日単位によるアクセス数により、最新の１箇月間、最新の１週間、最新の任意の１箇月以内のアクセス数がカウントできるようになっている。
【００１４】
以下、たとえば、ＵＲＬ情報を参照する処理について図３に示すフローチャートを参照して説明する。
当該携帯電話機からインターネットアクセスを行なうためにＵＲＬ情報を参照する場合、キー入力部３を使用して直接入力するのか、あるいは、既に登録されたＵＲＬ情報から参照するのかを選択する（ステップＳ１）。既に登録されたＵＲＬ情報から参照する場合は、内部メモリ５から参照するのか、ＵＳＩＭカード６から参照するのかを選択する（ステップＳ２）。
【００１５】
内部メモリ５から参照するを選択した場合、内部メモリ５からＵＲＬ情報を読出して液晶表示部４に表示する（ステップＳ３）。ここで、利用者は、液晶表示部４に表示されたＵＲＬ情報の中から所望のＵＲＬ情報を選択する（ステップＳ４）。
【００１６】
次に、カウンタ１２を１つカウントアップし（ステップＳ５）、ステップＳ４で選択されたＵＲＬ情報を液晶表示部４に表示する（ステップＳ６）。カウンタ１２のカウント内容に基づき、図２のアクセス累計数および最新の１箇月間の日単位によるアクセス数がそれぞれ更新される。
【００１７】
ステップＳ２において、ＵＳＩＭカード６から参照するを選択した場合、メモリカードインタフェイス７を介してＵＳＩＭカード６からＵＲＬ情報を読出して液晶表示部４に表示する（ステップＳ７）。ここで、利用者は、液晶表示部４に表示されたＵＲＬ情報の中から所望のＵＲＬ情報を選択することにより（ステップＳ８）、その選択されたＵＲＬ情報が液晶表示部４に表示される（ステップＳ６）。
【００１８】
ステップＳ１において、キー入力部３を使用して直接入力するを選択した場合、従来同様、キー入力部３を用いてＵＲＬ情報を入力することにより（ステップＳ９）、その入力されたＵＲＬ情報が液晶表示部４に表示される（ステップＳ６）。
【００１９】
なお、内部メモリ５に対しＵＲＬ情報を登録する方法は、一般的な携帯電話機で登録する方法と同じでよく、よって説明は省略する。
【００２０】
次に、ＵＳＩＭカード６に対しＵＲＬ情報を登録（更新）する登録（更新）モードの設定処理について図４に示すフローチャートを参照して説明する。
最初に、キー入力部３の操作により、液晶表示部４に登録モード設定メニューを表示することにより、手動登録モードか自動登録モードかを選択する（ステップＳ１１）。手動登録モードを選択した場合は、図５に示すように、内部メモリ５内に設けられた登録モード設定情報格納部に手動登録モードであることを示す情報を記憶する（ステップＳ１２）。
【００２１】
ステップＳ１１において、自動登録モードを選択した場合は、図６に示すように、内部メモリ５内に設けられた登録モード設定情報格納部に自動登録モードであることを示す情報を記憶する（ステップＳ１３）。続いて、自動登録を行なうタイミングを選択する（ステップＳ１４）。たとえば、毎日登録、１箇月単位で登録、１週間単位で登録、任意の日数単位で登録などから選択する。
【００２２】
続いて、自動登録時のカウント数を選択する（ステップＳ１５）。たとえば、累計数、最新の１箇月間、最新の１週間、最新の任意の日数などから選択する。次に、こうして選択された各項目（タイミング、カウント数）を、図６に示すように、内部メモリ５内に設けられた登録モード設定情報格納部に記憶する（ステップＳ１６）。
なお、図６の例は、登録モードが「自動」、自動登録を実施するタイミングが「毎日」、自動登録時に用いるカウント数が「最新の１週間」の場合を示している。
【００２３】
次に、手動でＵＳＩＭカード６に対しＵＲＬ情報を登録する登録処理について図７に示すフローチャートを参照して説明する。
最初に、キー入力部３の操作により、液晶表示部４にＵＲＬ情報を登録する条件を選択するメニューを表示することにより（ステップＳ２１）、条件を選択する（ステップＳ２２）。たとえば、アクセス情報（この場合、ＵＲＬ情報）のカウント数を、累計数、最新の１箇月間、最新の１週間、最新の任意の日数などから選択する。次に、こうして選択された条件（カウント数）に基づき、内部メモリ５内のＵＲＬ情報をソートし（ステップＳ２３）、このソートしたＵＲＬ情報をＵＳＩＭカード６に書込む（ステップＳ２４）。
【００２４】
たとえば、最新の１週間のカウント数が選択された場合、その最新の１週間のカウント数の中で、上位のアクセス数の多い順番に内部メモリ５内のＵＲＬ情報をソートし、このソートしたＵＲＬ情報をソートされた順番の上位からあらかじめ指定された数、ＵＳＩＭカード６に書込む。
ここに、上記ステップＳ２３の処理が本発明におけるソート手段に対応し、上記ステップＳ２４の処理が本発明におけるアクセス情報登録手段に対応している。
【００２５】
次に、自動でＵＳＩＭカード６に対しＵＲＬ情報を登録する登録処理について図８に示すフローチャートを参照して説明する。
自動登録を実施するタイミングが到来すると（ステップＳ３１）、内部メモリ５内の登録モード設定情報格納部に格納されている自動登録時に用いるカウント数の指定内容を参照することにより（ステップＳ３２）、その指定されたカウント数（条件）に基づき、内部メモリ５内のＵＲＬ情報をソートし（ステップＳ３３）、このソートしたＵＲＬ情報をＵＳＩＭカード６に書込む（ステップＳ３４）。
【００２６】
たとえば、自動登録のタイミングが「毎日」で、指定された自動登録時に用いるカウント数が「最新の１週間」である場合、毎日、あらかじめ定められた時間になると、最新の１週間のカウント数の中で、上位のアクセス数の多い順番に内部メモリ５内のＵＲＬ情報をソートし、このソートしたＵＲＬ情報をソートされた順番の上位からあらかじめ指定された数、ＵＳＩＭカード６に書込む。
ここに、上記ステップＳ３３の処理が本発明におけるソート手段に対応し、上記ステップＳ３４の処理が本発明におけるアクセス情報登録手段に対応している。
【００２７】
なお、上記説明では、アクセス情報がインターネットサービスを利用する際のＵＲＬ情報の場合を例にとって説明したが、たとえば、電話をかける際の電話番号、電子メールを送信する際の電子メールアドレス情報の場合にも同様に適用できる。
【００２８】
このように、上記実施の形態によれば、内部メモリ５に登録されたアクセス情報（ＵＲＬ情報、電話番号、電子メールアドレス情報など）を用いて外部装置に対しアクセスを行なう際、当該アクセス情報ごとにそのアクセス数をカウントし、このカウント内容に基づき、上位のアクセス数の多い順番にアクセス情報をソートし、このソートしたアクセス情報をソートされた順番の上位からあらかじめ定められた数、ＵＳＩＭカード６に登録することにより、利用率の高いアクセス情報を効率よくＵＳＩＭカード６に登録することが可能になる。これにより、メモリサイズに制約があるＵＳＩＭカード６に利用率の高いアクセス情報のみを格納することができ、利便性が著しく向上する。
【００２９】
なお、前記実施の形態では、外部記憶媒体としてＵＳＩＭカードを用いた場合について説明したが、本発明はこれに限定されるものではなく、たとえば、いわゆるＳＩＭカードあるいはＵＩＭカードと称されるメモリカードであっても同様に適用できる。
【００３０】
また、前記実施の形態では、携帯端末装置として携帯電話機に適用した場合について説明したが、本発明はこれに限定されるものではなく、たとえば、携帯電話機能あるいは携帯電話機と同等な無線通信機能を有するＰＤＡと称される携帯情報機器などにも同様に適用できる。
また、外部装置も携帯電話基地局に限らず、同等な無線通信機能を有する他の外部装置であってもよい。
【００３１】
【発明の効果】
以上詳述したように本発明によれば、外部記憶媒体に対し例えば利用率の高いアクセス情報を効率よく登録することが可能な携帯端末装置および携帯端末装置におけるアクセス情報登録方法を提供できる。
【図面の簡単な説明】
【図１】本発明の実施の形態に係る携帯端末装置の一例として携帯電話機の構成を概略的に示すブロック図。
【図２】内部メモリに登録されたＵＲＬ情報およびアクセス数のカウント情報の格納例を示す図。
【図３】ＵＲＬ情報を参照する処理について説明するフローチャート。
【図４】ＵＳＩＭカードに対しＵＲＬ情報を登録する登録モードの設定処理について説明するフローチャート。
【図５】手動登録時における登録モード設定情報格納部の格納状態を示す図。
【図６】自動登録時における登録モード設定情報格納部の格納状態を示す図。
【図７】手動でＵＳＩＭカードに対しＵＲＬ情報を登録する登録処理について説明するフローチャート。
【図８】自動でＵＳＩＭカードに対しＵＲＬ情報を登録する登録処理について説明するフローチャート。
【符号の説明】
１…アンテナ、２…無線通信部、３…キー入力部、４…液晶表示部、５…内部メモリ（内部記憶媒体）、６…ＵＳＩＭカード（外部記憶媒体）、７…メモリカードインタフェイス（インタフェイス手段）、８…音声入力部（マイクロフォン）、９…音声出力部（スピーカ）、１０…主制御部、１１…電源部、１２…カウンタ（カウント手段）。
【図１】
2004135064.tif 000003
【図２】
2004135064.tif 000004
【図３】
2004135064.tif 000005
【図４】
2004135064.tif 000006
【図５】
2004135064.tif 000007
【図６】
2004135064.tif 000008
【図７】
2004135064.tif 000009
【図８】
2004135064.tif 000010